(57)【特許請求の範囲】
【請求項１】
床台と、傾斜可能な可動部を具有していて、病人の身体を起して座る状態にするのに用いるための床枠と、上下に移動することができ、且つ、接触棒を具有していて、病人の身体を持ち上げるのに用い、前記床枠と分離するように構成されている可動床枠と、病人の身体を左向き又は右向きに寝返りさせるのに用いるための左側反転枠と右側反転枠と、前記床枠の可動部を駆動することができる第１リンケージと、前記可動床枠を駆動して上下に移動させることができる第２リンケージと、前記左及び右側反転枠を駆動することができる反転機構と、前記第１及び第２リンケージを駆動して作動を起させる動力装置を備え、
前記第１及び第２リンケージは、駆動軸に連結されており、駆動軸が前記動力装置の駆動を受けて旋回することができ、且つ、第１及び第２リンケージとの間に第１及び第２間歇伝動装置が設置されていて、前記第１及び第２リンケージを個別に作動させることができるように駆動する構成と成すと共に、反転機構は二本のロッカーアームを具有していて、左及び右側反転枠を押し動かすことができるようになっていて、病人の寝返り動作を起させることができ、更に、はたき打ち機構が前記左及び右側反転枠を駆動して病人の身体をはたき打つ動作を起させることができるようにして、病人の身体を按摩することができるように構成されており、
上記各装置の組合せによって、前記動力装置は前記第１及び第２リンケージを駆動することができ、これにより前記床枠と前記可動床枠は作動を起すことができて、病人を座り状態に持ち上げ、又は病人の身体と病床の接触位置を変えることができて、床ずれの発生を防止することができるように構成されたことを特徴とする看護用病床。
【請求項２】
前記駆動軸上に設置されていて、且つ、前記第１及び第２リンケージと別々に連結している第１間歇伝動装置と第２間歇伝動装置を有し、前記第１及び第２間歇伝動装置は転動できるように前記駆動軸上に嵌組まれており、且つ、夫々滑り槽を具有しており、更に、前記駆動軸上に設置され、且つ、前記滑り槽の中に通し込んでいる突出キーを有し、該突出キーは前記滑り槽内で滑り動くことができ、且つ、前記滑り槽の側面と接触し、前記第１及び第２間歇伝動装置を連動し、前記第１及び第２間歇伝動装置はこれにより転動できるように構成され、
前記第１及び第２間歇伝動装置の滑り槽は異なる位相角度の位置に設置されており、よって、前記駆動軸は異なる位相角度の回転範囲内でもって、単独に前記第１及び第２リンケージの中の一つを駆動して作動を起させることができるように構成されたことを特徴とする請求項１記載の看護用病床。
【請求項３】
前記左及び右側反転枠にて反転枠が形成されており、前記左側反転枠と右側反転枠は夫々回転軸を具有しており、且つ、個別的に反転機構の駆動を受けることができ、これにより、上向きに揺動して傾斜状態となり、病人の身体を左向き又は右向きに寝返りさせることができるように構成されたことを特徴とする請求項１記載の看護用病床。
【請求項４】
前記反転機構には、ロッカーアームがあって、揺動できるように前記左側反転枠と右側反転枠の回転軸の外側に設置されており、ファロワーがあって、前記左及び右側反転枠の上に設置されていて前記ロッカーアームによって押し動かされ、これにより前記左及び右側反転枠と連動して上向きに揺動する動作を起させることができ、且つ、連結棒があって、前記連結棒を駆動して移動させ、これにより前記ロッカーアームを連動して上向き揺動を起させることができるように構成されたことを特徴とする請求項１又は３記載の看護用病床。
【請求項５】
上記はたき打ち機構は、前記左及び右側反転枠を駆動して小幅に上向きに揺動する動作を起させることができ、かくして病人の身体を軽くはたくことができて、病人の身体を按摩することができるように構成されたことを特徴とする請求項１，３又は４記載の看護用病床。
【請求項６】
上記はたき打ち機構は、夫々前記回転軸の下方に固定されている柱状体と、モーターと、カムを具有しており、前記カムは前記柱状体と接触することができる上、前記モーターの駆動を受けて回転し、これにより前記柱状体を駆動して微小幅の揺動作動を発生させることができるように構成されたことを特徴とする請求項１，３，４又は５記載の看護用病床。
【請求項７】
前記柱状体の末端には接触輪が設けられていて、前記カムと接触するのに用いるように構成されたことを特徴とする請求項１，３，４，５又は６記載の看護用病床。
【請求項８】
上記はたき打ち機構は多数個のはたき打ち棒があって、相互に平行、且つ、共に同一回転軸上に設置されていて、前記回転軸に駆動されて病人の身体をはたき打つ動作を発生することができるようになっており、更に、駆動機構があって、前記回転軸を駆動して回転させるのに用いられ、前記はたき打ち棒はこれにより、はたき打つ動作を発生するように構成されたことを特徴とする請求項１記載の看護用病床。
【請求項９】
前記駆動機構は柱状体を有し、前記回転軸上に設置されておりモーターとカムがあって、前記モーターの回転軸上に設置されていて、前記柱状体と接触することができるようになっており、これにより前記柱状体は駆動されて揺動を発生することができるように構成されたことを特徴とする請求項１又は８記載の看護用病床。
【請求項１０】
前記柱状体の末端には接触輪が設けられていて、前記カムと接触するのに用いられるように構成されたことを特徴とする請求項１，８又は９記載の看護用病床。
【発明の詳細な説明】
【０００１】
【発明の属する技術分野】
本発明は、長期的に看護を要する病人の使用に適合した看護用病床の改良に関するものである。
【０００２】
【従来の技術】
かねてより、中風、脳部の病気、中枢神経の傷害及びベジタブル状態等の病人は長期的に看護を要するもので、且つ、病人自身は何等の行動能力をも有しない。故に、必ず長期的に病床に横たわらなければならない。然しながら、病人が長期間病床に横たわると極めて床ずれし易いのである。而して、一旦床ずれの疾病におかされると非常に直りにくいもので、病人に大変な苦痛をあたえると共に看護人にも多大な負担がかかる。
【０００３】
行動能力を有しない病人は、このために長時間病床に横たわざるを得ない。よって、病床の設計は病人の快適及び看護人の操作上の便利性等に対し多大な影響をあたえるものである。行動能力を有しない病人であるために床ずれの発生率は一般の病人よりも大きく、且つ、その看護も一般よりも困難で体力を相当消耗するものである。故に、一般用途の病床は之等の病人に対しては不適であることは言うまでもない。よって、特殊設計による専用の病床を使用する必要がある。
【０００４】
床ずれの最大発生原因は、病床と病人の肌が長時間押さえられた状態にあるため、血液循環の不良、通気不良及び蒸し暑い状況等の原因により皮膚の潰爛を来すようになる。然るに現在に至るまで適切なる専用の病床がなく、よって、病人を看護する看護人は必ず定時間的に病人の肌を按摩して血液の循環を促進しなければならない。而して、大多数の病人は看護人の看護を受けているとは言え、長期的には床ずれ及び皮膚病の発生率は依然として高いものである。
【０００５】
この外、病人を座り状態に起し、又は寝返り等の手助けをして食物或いは薬物を与えるのに便利であり、更に、入浴、衣服の着替え等の看護にも便利を与えるようにし、更に、入浴、衣服の着替え等の看護にも便利を与えるようにしなければならない。現在幾多の電動病床があって、病人の身体を持ち上げ、又は寝返りさせる床の枠が設置されている。そして、モーター或いは油圧装置を利用して、病床の枠を駆動して看護人が病人を持ち上げ、或いは寝返りさせるのに供し、看護人の消耗する体力の有力化を計っている。然しながら、一般の電動病床はその床枠の必要な幾多の動作に対して各動作ごとに夫々独立したモーターがあって、それを使用して駆動機構を駆動しなければならない。このため、一台の機能複雑な電動病床は必ず多セットの駆動装置を同時に使用しなければならない。よって、電動病床のコストは非常に高く、一般の中、低収入の家庭に於てはこのように高いコストの電動病床を負担することができない。
【０００６】
上述の原因により、長期的に横臥しなければならない病人に供する従来の病床は、床ずれの原因を効果的に解決することができない。且つ、そのコストは高く、到底、一般の病院及び家庭が負担できるものではない。このため、長期的に横臥する病人の苦痛を軽減することを有効的に改善することができない上、看護の便利性に対する目的を増進することもできない。故に、改良を必要とすることは言うまでもない。
【０００７】
本発明人は上記の状況に鑑みて、苦思探索の上、積極的に研究を重ね、多年相関製品の研究開発に従事した経験を加え、不断なく実験及び改良を経て遂に本発明に至ったものである。
【０００８】
【発明が解決しようとする課題】
本発明の解決しようとする課題は通気性を増進し、床ずれから免れ、病人の持ち上げ又は寝返り等の看護操作に便を来し、構造が簡単でコストを低減できる看護用病床を提供することを目的とする。
【０００９】
【課題を解決するための手段】
本発明は前記目的を達成するために提案されたものであり、請求項１記載の発明は、床台と、傾斜可能な可動部を具有していて、病人の身体を起して座る状態にするのに用いるための床枠と、上下に移動することができ、且つ、接触棒を具有していて、病人の身体を持ち上げるのに用い、前記床枠と分離するように構成されている可動床枠と、病人の身体を左向き又は右向きに寝返りさせるのに用いるための左側反転枠と右側反転枠と、前記床枠の可動部を駆動することができる第１リンケージと、前記可動床枠を駆動して上下に移動させることができる第２リンケージと、前記左及び右側反転枠を駆動することができる反転機構と、前記第１及び第２リンケージを駆動して作動を起させる動力装置を備え、
前記第１及び第２リンケージは、駆動軸に連結されており、駆動軸が前記動力装置の駆動を受けて旋回することができ、且つ、第１及び第２リンケージとの間に第１及び第２間歇伝動装置が設置されていて、前記第１及び第２リンケージを個別に作動させることができるように駆動する構成と成すと共に、反転機構は二本のロッカーアームを具有していて、左及び右側反転枠を押し動かすことができるようになっていて、病人の寝返り動作を起させることができ、更に、はたき打ち機構が前記左及び右側反転枠を駆動して病人の身体をはたき打つ動作を起させることができるようにして、病人の身体を按摩することができるように構成されており、
上記各装置の組合せによって、前記動力装置は前記第１及び第２リンケージを駆動することができ、これにより前記床枠と前記可動床枠は作動を起すことができて、病人を座り状態に持ち上げ、又は病人の身体と病床の接触位置を変えることができて、床ずれの発生を防止することができるように構成された看護用病床、
及び、請求項２記載の発明は、前記駆動軸上に設置されていて、且つ、前記第１及び第２リンケージと別々に連結している第１間歇伝動装置と第２間歇伝動装置を有し、前記第１及び第２間歇伝動装置は転動できるように前記駆動軸上に嵌組まれており、且つ、夫々滑り槽を具有しており、更に、前記駆動軸上に設置され、且つ、前記滑り槽の中に通し込んでいる突出キーを有し、該突出キーは前記滑り槽内で滑り動くことができ、且つ、前記滑り槽の側面と接触し、前記第１及び第２間歇伝動装置を連動し、前記第１及び第２間歇伝動装置はこれにより転動できるように構成され、
前記第１及び第２間歇伝動装置の滑り槽は異なる位相角度の位置に設置されており、よって、前記駆動軸は異なる位相角度の回転範囲内でもって、単独に前記第１及び第２リンケージの中の一つを駆動して作動を起させることができるように構成された請求項１記載の看護用病床、
及び、請求項３記載の発明は、前記左及び右側反転枠にて反転枠が形成されており、前記左側反転枠と右側反転枠は夫々回転軸を具有しており、且つ、個別的に反転機構の駆動を受けることができ、これにより、上向きに揺動して傾斜状態となり、病人の身体を左向き又は右向きに寝返りさせることができるように構成された請求項１記載の看護用病床、
及び、請求項４記載の発明は、前記反転機構には、ロッカーアームがあって、揺動できるように前記左側反転枠と右側反転枠の回転軸の外側に設置されており、ファロワーがあって、前記左及び右側反転枠の上に設置されていて前記ロッカーアームによって押し動かされ、これにより前記左及び右側反転枠と連動して上向きに揺動する動作を起させることができ、且つ、連結棒があって、前記連結棒を駆動して移動させ、これにより前記ロッカーアームを連動して上向き揺動を起させることができるように構成された請求項１又は３記載の看護用病床、
及び、請求項５記載の発明は、上記はたき打ち機構は、前記左及び右側反転枠を駆動して小幅に上向きに揺動する動作を起させることができ、かくして病人の身体を軽くはたくことができて、病人の身体を按摩することができるように構成された請求項１，３又は４記載の看護用病床、
及び、請求項６記載の発明は、上記はたき打ち機構は、夫々前記回転軸の下方に固定されている柱状体と、モーターと、カムを具有しており、前記カムは前記柱状体と接触することができる上、前記モーターの駆動を受けて回転し、これにより前記柱状体を駆動して微小幅の揺動作動を発生させることができるように構成された請求項１，３，４又は５記載の看護用病床、
及び、請求項７記載の発明は、前記柱状体の末端には接触輪が設けられていて、前記カムと接触するのに用いるように構成された請求項１，３，４，５又は６記載の看護用病床、
及び、請求項８記載の発明は、上記はたき打ち機構は多数個のはたき打ち棒があって、相互に平行、且つ、共に同一回転軸上に設置されていて、前記回転軸に駆動されて病人の身体をはたき打つ動作を発生することができるようになっており、更に、駆動機構があって、前記回転軸を駆動して回転させるのに用いられ、前記はたき打ち棒はこれにより、はたき打つ動作を発生するように構成された請求項１記載の看護用病床、
及び、請求項９記載の発明は、前記駆動機構は柱状体を有し、前記回転軸上に設置されておりモーターとカムがあって、前記モーターの回転軸上に設置されていて、前記柱状体と接触することができるようになっており、これにより前記柱状体は駆動されて揺動を発生することができるように構成された請求項１又は８記載の看護用病床、
及び、請求項１０記載の発明は、前記柱状体の末端には接触輪が設けられていて、前記カムと接触するのに用いられるように構成された請求項１，８又は９記載の看護用病床を提供するものである。
【００１０】
【発明の実施の形態】
図１に示す如く、本発明の第一実施の形態は、その中には床台１０と該床台１０の上方に設置されていて、病人の上半身を座り状態に起きあがらせ、且つ、下半身を屈折させることができる床枠２０と上下移動ができることによって病人の身体と床の接触位置を変え、病人の身体の同一部位が長時間床の圧迫から免れることができる可動床枠３０と、病人の寝返りに用いるセットの反転枠４０と包括している。図２に示す如く、本発明は更に前記床枠２０と前記可動床枠３０の下方に前記床枠２０を駆動するのに用いる第１リンケージ５０と、前記可動床枠を駆動するのに用いる第２リンケージ６０と、前記第１リンケージ５０と前記２リンケージ６０を駆動するのに用いる動力装置７０と、病人の寝返りに供する前記反転枠４０を駆動するのに用いる反転機構８０と、前記反転枠４０を駆動して快速的な小幅のはたき打つ動作を発生させて、病人の身体を按摩し血液の循環を促進するのに用いる二セットのはたき打ち機構９０とを有している。
【００１１】
本発明の看護用病床は前記床枠２０の手助けによって病人を座り状態に起すことができ、且つ、前記反転枠４０を利用して病人の身体を左側或いは右側に寝返りさせることができる。よって、看護人が病人に食物或いは薬物をあたえる時、又は衣服の着替え、入浴等の看護をするとき看護人の体力消耗は大いに軽減される上、看護操作にも便利を来すものである。
【００１２】
図２及び図４に示す如く、前記床枠２０は湾曲ができる枠体で病人の上半身の部位にあたる位置は上向きに持ち上がる上可動部２１で、その中央位置は固定した固定部２２で、下半身にあたる部位は病人の脚部を上曲りに持ち上げる下可動部２３である。前記上可動部２１と前記下可動部２３は前記第１リンケージ５０と連結していて、前記第１リンケージ５０の駆動によって上向きに持ち上がることができる。これにより、病人の身体の上半身は座り状態となり、又、膝の部分は上向きに曲った状態となる。
【００１３】
図４に示す如く、前記第１リンケージ５０には前ロッカーアーム５１があって、前回転軸７１上に枢設され、且つ、前記前回転軸７１に連動されて回転することができ、更に、リンク５２があって、前記床枠２０の前記上可動部２１と前記前ロッカーアーム５１の間に連結されており、又、後ロッカーアーム５３があって、後回転軸７２の上に設置されており、前記後ロッカーアーム５３と前記下可動部２３の間には伝動棒５４が連結されている。同時に、前記前ロッカーアーム５１と前記後ロッカーアーム５３の間には伝動棒５５が連結されている。これにより、前記後ロッカーアーム５３は前記前ロッカーアーム５１に連動されて回転することができるようになっている。
【００１４】
図２及び図３に示す如く、前記床枠２０は枠体で、且つ、その横方向に若干の支え棒２４が架設されていて、病人の身体の重量を支えるのに用いるものである。前記可動床枠３０は前記床枠２０の下方に装置されていて上下に移動することができるようになっている。前記可動床枠３０には若干の接触棒３１が設置されており、該若干の接触棒３１は前記可動床枠３０に従って上向きに移動し、前記各支え棒２４間の間隙から突き出て、前記床枠２０の前記支え棒２４の上方に突き出た状態となる。
【００１５】
本発明の看護用病床を使用する時は、前記床枠２０の上に通風クッションを敷いて病人が快適に横たわるようにする。前記可動床枠３０が動作しない時、病人の身体の重量は前記支え棒２４によって支承されている。而して、前記接触棒３１が上向きに突出した状態になっている時は、病人の身体が受けている圧力の位置は前記支え棒２４から前記接触棒３１と接触するように切り替わる。よって、前記支え棒２４によって圧迫を受けている皮膚の圧力は軽減される。故に前記可動床枠３０の上下移動によって、病人の身体と床の接触位置は不断なくその位置を変化することができて、同一部位が長時間圧迫を受けることがなく、血液流通の不良、肌の潰爛を発生することから免れることができる。
【００１６】
図３に示す如く、前記可動床枠３０は前記第２リンケージ６０の駆動によって上下移動をするようになっている。前記第２リンケージ６０には前ロッカーアーム６１及び後ロッカーアーム６３があって、それぞれ前記前回転軸７１と前記後回転軸７２に枢設されている。前記前ロッカーアーム６１と前記可動床枠３０の間にはリンク６２が連結されている。且つ、前記後ロッカーアーム６３と前記可動床枠３０の間にはリンク６４が連結されている。前記前、後ロッカーアーム６１，６３が上向きに揺動した時、前記リンク６２，６４は前記可動床枠３０を押して上方に移動させることができる。前記前ロッカーアーム６１は前記前回転軸７１に駆動されて回転するようになっている。且つ、前記前ロッカーアーム６１と前記後ロッカーアーム６３の間には伝動棒６５が連結されている。これにより前記後ロッカーアーム６３は前記前ロッカーアーム６１に連動されて回転することができる。
【００１７】
本発明の主要な特徴の一つは、前記第１リンケージ５０と前記第２リンケージ６０は同一動力装置７０によって駆動することができる。よって、本発明の看護用病床の構造を簡略化することができて、コスト低減の効果を達成することができるものである。
【００１８】
図５に示す如く、本発明の前記第１及び第２リンケージ５０，６０は共に前記前回転軸７１に取り付けられている。且つ、前記前回転軸７１には駆動アーム７３が熔接されている。又、前記駆動アーム７３の末端は前記動力装置７０に連結されている。前記動力装置７０は油圧シリンダ或いはリニアモーター等の駆動装置である。前記動力装置７０には伸縮ロッド７４があって、その末端は前記駆動アーム７３と枢接している。よって、前記伸縮ロッド７４が伸縮した時、前記駆動アーム７３を駆動して揺動させることができる。これにより前記前回転軸７１を連動して回転動作を発生させ、前記前ロッカーアーム５１，６１を連動して揺動させることができる。かくして、前記床枠２０と前記可動床枠３０は作動を発生することができるのである。
【００１９】
然るに、前記床枠２０と前記可動床枠３０の作動行程は全く不同である。且つ、前記床枠２０が作動している時は、前記可動床枠３０は必ず静止状態になっていなければならない。又、前記可動床枠３０が作動している時は、前記床枠２０は必ず静止状態になっていなければならない。このため、前記前回転軸７１が前記第１リンケージ５０を駆動している時、前記第２リンケージ６０は必ず静止状態を保持していなければならない。而して、前記第２リンケージ６０を駆動している時、前記第１リンケージ５０は未動作前の位置に保持していなければならない。
【００２０】
前記の動作を達成する方法は、前記前回転軸７１は間歇伝動方式でもって前記第１リンケージ５０の前記前ロッカーアーム５１と前記第２リンケージ６０の前記前ロッカーアーム６１を伝動するようにしている。よって、前記前回転軸７１が特定角度の範囲で回転した時、前記前ロッカーアーム５１を連動して回転させることができる上、前記第２リンケージ６０の前記前ロッカーアーム６１を静止不動の状態に保持することができる。而して、前記前回転軸７１が別の特定角度の範囲内に回転してきた時、前述と反して前記第２リンケージ６０の前記前ロッカーアーム６１を回転させることができる上、前記第１リンケージ５０の前記前ロッカーアーム５１を静止不動の状態に保持することができる。かくして、本発明は単一の動力装置７０でもって前記第１及び第２リンケージ５０，６０を連動し得ると共に、該第１及び第２リンケージ５０，６０はその発生する動作の行程と時間を全く不同にし得ることができる。
【００２１】
図５に示す如く、本発明が採用した間歇伝動の構造は前記第１リンケージ５０の前記前ロッカーアーム５１と前記前回転軸７１の連結位置に間歇伝動装置５１１を設置している。又、前記第２リンケージ６０の前記前ロッカーアーム６１と前記前回転軸７１の連結位置に別に間歇伝動装置６１１を設置している。前記間歇伝動装置５１１と前記間歇伝動装置６１１にはそれぞれ滑り槽５１２と６１２が設置されている。且つ、前記前回転軸７１には突出キー７１１が設置されている。前記突出キー７１１は前記滑り槽５１２と前記滑り槽６１２の中に通し込まれていて、前記滑り槽５１２と前記滑り槽６１２の槽内で滑り動くことができる。前記突出キー７１１が回転して前記滑り槽５１２と前記滑り槽６１２の両側辺と接触する位置にきたとき、前記滑り槽５１２と前記滑り槽６１２の両側辺と嵌合し合って、前記前ロッカーアーム５１或いは前記前ロッカーアーム６１を連動して回転させることができる。
【００２２】
同時に、本発明は前記滑り槽５１２と前記滑り槽６１２を不同角度の位置に設置している。前記前回転軸７１が前向きに回転した時、前記突出キー７１１は前記滑り槽５１２の側辺と嵌合して、前記前ロッカーアーム５１を駆動して回転させる。この時、前記突出キー７１１は前記間歇伝動装置６１１の前記滑り槽６１２の中でスライドするようになっている。よって、前記第２リンケージ６０の前記前ロッカーアーム６１は静止状態を保持することができる。而して、前記前回転軸７１が反対方向に向けて回転した時、前記突出キー７１１は変わって前記滑り槽６１２と嵌合し、前記滑り槽５１２の中でスライドする。よって、前記前ロッカーアーム６１は連動されて後向きに揺動する。更に、前記前ロッカーアーム５１を動作前の位置に保持したままにすることができるようになっている。
【００２３】
図６及び図７に示す如く、前記反転枠４０の中には左側枠４１と右側枠４２が含まれている。前記左側枠４１又は右側枠４２は夫々回転軸４１１，４２１を具有している。且つ、前記回転軸４１１，４２１には若干の相互に平行した棒体４１２，４２２が設置されている。前記棒体４１２，４２２は前記支え棒２４と前記接触棒３１の間の間隙から突き出ることができるようになっている。而して、前記回転軸４１１，４２１は前記反転機構８０の駆動を受けて回転するため、前記棒体４１２，４２２は上向きに持ち上げられた上体となり得る。かくして、病人の身体は左側又は右側に向けて寝返りすることができるのである。
【００２４】
従来の電動病床の反転機構は必ず二組の駆動装置を利用して、二組の反転枠を夫々駆動しなければならないようになっている。而して、本発明は単一の駆動装置でもって前記左、右側枠４１，４２を駆動している構造である。
【００２５】
図７に示す如く、本発明の前記反転機構８０にはロッカーアーム８１，８２があって、夫々前記回転軸４１１，と４２１の外側に取りつけられている。及びファロワー８３，８４があって、夫々前記回転軸４１１，と４２１の下方に取りつけられている。前記双方のファロワー８３，８４は大略Ｌ字形を呈し、その外側は前記双方のロッカーアーム８１，８２の内側面にあてがっていて、且つ、前記ロッカーアーム８１，８２が内向きに揺動した時、該ファロワー８３，８４はその駆動を受けて揺動を発生し、前記回転軸４１１，４２１を連動して回転させることができるようになっている。又、連結棒８５があって、前記ロッカーアーム８１，８２の底端に枢設されている。及び、駆動装置８６があって、油圧シリンダー或いはリニアモーター等の駆動機構である前記駆動装置８６は伸縮ロッド８７を具有していて、その末端は前記連結棒８５の中央と連結している。よって、前記連結棒８５は前記駆動装置８６の駆動を受けて左右に移動することができるようになっている。
【００２６】
前記ファロワー８３，８４と前記ロッカーアーム８１，８２は固定した結合ではなく、前記ロッカーアーム８１，８２の揺動を利用して、前記ファロワー８３，８４の接触面と接触することによって該ファロワー８３，８４を押し動くようになっているもので、前記ロッカーアーム８１，８２が揺動した時、前記ファロワー８３，８４の中、只一つが前記ロッカーアーム８１，８２によって押し動かされる。その他の一つは前記ロッカーアーム８１，８２と分離して不動状態を保持するようになっている。
【００２７】
図７に示す如く、前記伸縮ロッド８７が伸長した時、前記連結棒８５を左向きに押し動き、前記ロッカーアーム８１，８２を連動して左向きに揺動させる。この時、前記右側枠４２下方の前記ファロワー８４は前記ロッカーアーム８２に押されて揺動するので、前記右側枠４２は上向きに持ち上る。而して、前記左側枠４１下方の前記ファロワー８３は前記ロッカーアーム８１と分離した状態となり、前記左側枠４１は不動状態を保持したままになることができる。これと反して図８に示す如く、前記駆動装置８６の前記伸縮ロッド８７が短縮した時、前記ロッカーアーム８１，８２は連動されて右向きに揺動し、よって、前記左側枠４１は駆動を受けて上向きに持ち上がる。而して、前記右側枠４２はそのまま不動状態を保持している。
【００２８】
本発明は前記反転機構８０によって前記反転床枠４０の中の前記左側枠４１或いは前記右側枠４２両者の中の一つを上向きに持ち上げる動作を起させることができるのである。かくして、病人の身体を左向きに或いは右向きに寝返りさせることができて、看護人が病人を寝返りさせる時の手助けとなることができる。
【００２９】
この外、前記左側枠４１と前記右側枠４２は前記はたき打ち機構９０の駆動を受けることができて、快速且つ、小幅な揺動を発生することができるようになっている。これにより、病人の身体を軽徴にはたき打つことができて、病人の身体を按摩することを達成し得て皮膚の血液循環を促進し、並びに肌肉萎縮状況の発生から免れることができるのである。図９に示す如く、前記はたき打ち機構には柱状体９１があって、垂直に且つ、下向きに前記回転軸４１１，４２１の下方に設置されている。及び、モーター９２及びカム９３があって、前記モーター９２の軸心に設置され前記モーター９２に連動されて回転し、且つ、前記柱状体９１の側面と接触を保持するようになっている。及びファロワー９４があって、前記柱状体９１の末端に取り付けられていて前記カム９３と接触するのに用いるものである。故に図１０に示す如く、前記カム９３が回転した時、前記柱状体９１を特定範囲内に往復揺動させることができる。これにより前記左側枠４１或いは前記右側枠４２は微幅の揺動をすることができ得て、病人の身体を按摩することができるのである。
【００３０】
本発明の前記動力装置７０、前記反転機構８０及び前記はたき打ち機構９０は電気制御回路（図示せず）で制御することができる。且つ、人手操作の方式でもって病人を寝返り、或いは身体の持ち上げをすることができる。又、事前に動作の順序を前記電気制御回路に設定して、前記床枠２０、前記可動床枠３０、前記反転枠４０及び前記はたき打ち機構９０を定時に順番に動作させることを制御することができる。よって、本発明の看護用病床は自動的に病人の身体を反転、床と病人の身体の接触位置の変換及び病人の身体の按摩等の作動をすることができる。故に、病人の床ずれ発生を予防することができる上、血液の流通を促進し、肌肉萎縮の状況を低減することができる。
【００３１】
図１１に示す如く、本発明の第２実施例で、その使用しているはたき打ち機構９０Ａは前記反転枠４０と分離している。その中には、多数個の左打ち棒９１Ａ及び右打ち棒９２Ａがあって、夫々左回転軸９３Ａと右回転軸９４Ａに連結している。且つ、各前記左打ち棒９１Ａ、前記右打ち棒９２Ａは前記支え棒２４、接触棒３１及び前記左、右側枠４１，４２の棒体４１１，４２２の間の間隙内に設置することができる。前記左、右回転軸９３Ａ，９４Ａが回転すると、前記左、右打ち棒を連動して上向きに持ち上げ、病人の身体をはたき打つ動作を発生させることができる。前記左、右回転軸９３Ａ，９４Ａの下方には夫々柱状体９５Ａが設置されている。前記柱状体９５Ａの末端には接触輪９８Ａが取り付けられている。及び２個の駆動モーター９６Ａがあって、その軸心には夫々カム９７Ａが設置されている。該カム９７Ａは前記接触輪９８Ａと接触している。よって、前記左、右回転軸９３Ａ，９４Ａを駆動して回転させることができる。
【００３２】
図１１に示す如く、本発明の第２実施例の前記はたき打ち機構９０Ａは、独立した左、右打ち棒９１Ａ，９２Ａを具有しているので、前記左、右打ち棒９１Ａ，９２Ａの動作は前記反転枠４０の動作と分離することができるようになっている。故に、前記反転枠４０で先に病人の身体を寝返りさせた後、前記左、右打ち棒９１Ａ，９２Ａで病人の身体をはたき打つことができる。
【００３３】
尚、本発明は、本発明の精神を逸脱しない限り種々の改変を為すことができ、そして、本発明が該改変されたものに及ぶことは当然である。
【００３４】
【発明の効果】
本発明の看護用病床は確実に病人の肌肉萎縮及び床ずれの発生を有効に防止することを達成することができる。且つ、看護人を手助けて病人の身体を持ち上げ、及び寝返りさせ、看護操作の負担を軽減させることができる等、正に著大なる効果を奏する発明である。
【図面の簡単な説明】
【図１】本発明の看護用病床の斜面図。
【図２】本発明の看護用病床の側面図。
【図３】本発明の床枠が減圧動作を発生した時の動作を示す側面図。
【図４】本発明の床枠が病人の身体を持ち上げる動作を起した時の側面図。
【図５】本発明の床枠の駆動機構の局部拡大斜面図。
【図６】本発明の一方の反転機構が動作した時の斜面図。
【図７】本発明が使用した反転機構の正面図。
【図８】本発明の反転機構の動作を示す正面図。
【図９】本発明が使用したはたき打ち機構の正面図。
【図１０】本発明が使用したはたき打ち機構の動作を示す正面図。
【図１１】本発明の第２実施例が使用したはたき打ち機構の正面図。
【符号の説明】
１０        床台
２０        床枠
２１        上可動部
２２        固定部分
２３        下可動部
２４        支え棒
３０        可動床枠
３１        接触棒
４０        反転枠
４１        左側枠
４２        右側枠
５０        第１リンケージ
５１        前ロッカーアーム
５２，５４  リンク
５３，６３  後ロッカーアーム
５５        伝動棒
６０        第２リンケージ
６１        前ロッカーアーム
６２，６４  リンク
６５        伝動棒
７０        動力装置
７１        前回転軸
７２        後回転軸
７３        駆動アーム
７４        伸縮ロッド
８０        反転機構
８１，８２  ロッカーアーム
８３，８４  ファロワー
８５        連結棒
８６        駆動装置
８７        伸縮ロッド
９０        はたき打ち機構
９１        柱状体
９２        モーター
９３        カム
９４        ファロワー
９０Ａ      はたき打ち機構
９１Ａ      左打ち棒
９２Ａ      右打ち棒
９３Ａ      左回転軸
９４Ａ      右回転軸
９５Ａ      柱状体
９６Ａ      駆動モーター
９７Ａ      カム
９８Ａ      接触輪
４１１，４２１    回転軸
４１２，４２２    棒体
５１１，６１１    間歇伝動装置
５１２，６１２    滑り槽
７１１            突出キー
【図１】
0003926969.tif 000002
【図２】
0003926969.tif 000003
【図３】
0003926969.tif 000004
【図４】
0003926969.tif 000005
【図５】
0003926969.tif 000006
【図６】
0003926969.tif 000007
【図７】
0003926969.tif 000008
【図８】
0003926969.tif 000009
【図９】
0003926969.tif 000010
【図１０】
0003926969.tif 000011
【図１１】
0003926969.tif 000012